【手続補正書】
【提出日】平成17年7月12日(2005.7.12)
【手続補正１】
【補正対象書類名】明細書
【補正対象項目名】発明の名称
【補正方法】変更
【補正の内容】
【発明の名称】電池駆動される電子機器
【手続補正２】
【補正対象書類名】明細書
【補正対象項目名】特許請求の範囲
【補正方法】変更
【補正の内容】
【特許請求の範囲】
【請求項１】
情報を表示する表示手段と、
内部回路に電源を供給する２次電池と、
上記２次電池の規格容量値と環境変数に応じた放電特性データと動作シーケンス毎の代表的消費電流データとを含む情報を不揮発記憶する第１記憶手段と、
カレンダー時計機能を備え、作動時間を計時する計時手段と、
上記２次電池の累積充電回数、ならびに、充電完了日を起算とする使用状況に応じた電池残留容量を記憶する書き換え可能な第２記憶手段と、
少なくとも内部の温度を測定する環境変数測定手段と、
上記第１、第２記憶手段の内容、および、上記環境変数測定手段の出力に基づいて上記２次電池の残留容量を推定し、この残留容量推定値に関する情報を表示手段に表示させる制御手段と、
を具備したことを特徴とする電池駆動される電子機器。
【請求項２】
上記電池駆動される電子機器は電子カメラであって、上記残留容量に関する情報は、撮影動作可能回数、および、画像記録媒体の使用可能駒数であることを特徴とする請求項１記載の電池駆動される電子機器。
【請求項３】
上記電池駆動される電子機器は電子カメラであって、上記残留容量に関する情報は、撮影動作可能回数および画像記録媒体の使用可能駒数のいずれか少ない方であることを特徴とする請求項１記載の電池駆動される電子機器。
【請求項４】
上記２次電池の残留容量推定値は、上記電子機器の起動に応答して所定時間表示されることを特徴とする請求項１記載の電池駆動される電子機器。
【請求項５】
上記２次電池の残留容量推定値は、所定操作部材の操作に応答して所定時間表示されることを特徴とする請求項１記載の電池駆動される電子機器。
【請求項６】
さらに、上記２次電池を挿抜するために開閉可能な電池蓋と、この電池蓋の開閉を検知する検知手段と、
を備え、上記制御手段は、上記検知手段の出力に応答して上記第２記憶手段を初期化すると共に、その旨を上記表示手段に表示させることを特徴とする請求項１記載の電池駆動される電子機器。
【請求項７】
上記第２記憶手段は、上記初期化された後に２次電池の充電が完了すると再び活性化されることを特徴とする請求項６記載の電池駆動される電子機器。
【請求項８】
情報を表示する表示手段と、
内部回路に電源を供給する１次電池と、
上記１次電池の規格容量値と環境変数に応じた放電特性データと動作シーケンス毎の代表的消費電流データとを含む情報を不揮発記憶する第１記憶手段と、
カレンダー時計機能を備え、作動時間を計時する計時手段と、
上記１次電池の使用開始日を起算とする使用状況に応じた電池残留容量を記憶する書き換え可能な第２記憶手段と、
少なくとも内部の温度を測定する環境変数測定手段と、
上記第１、第２記憶手段の内容、および、上記環境変数測定手段の出力に基いて上記１次電池の残留容量を推定し、この残留容量推定値に関する情報を上記表示手段に表示させる制御手段と、
を具備したことを特徴とする電池駆動される電子機器。
【請求項９】
上記電池駆動される電子機器は電子カメラであって、上記残留容量に関する情報は、撮影動作可能回数、および、画像記録媒体の記録可能駒数であることを特徴とする請求項８記載の電池駆動される電子機器。
【請求項１０】
上記電池駆動される電子機器は電子カメラであって、上記残留容量に関する情報は、撮影動作可能回数、および、画像記録媒体の記録可能駒数のいずれか少ない方であることを特徴とする請求項８記載の電池駆動される電子機器。
【請求項１１】
上記１次電池の残留容量推定値は、上記電子機器の起動に応答して所定時間表示されることを特徴とする請求項８記載の電池駆動される電子機器。
【請求項１２】
上記１次電池の残留容量推定値は、所定操作部材の操作に応答して所定時間表示されることを特徴とする請求項８記載の電池駆動される電子機器。
【請求項１３】
さらに、上記１次電池を挿抜するために開閉可能な電池蓋と、
この電池蓋の開閉を検知する検知手段と、
を備えており、
上記制御手段は、上記検知手段の出力に応答して上記第２記憶手段を初期化すると共に、上記１次電池が挿抜されたことを上記表示手段に表示させることを特徴とする請求項８記載の電池駆動される電子機器。
【手続補正３】
【補正対象書類名】明細書
【補正対象項目名】０００１
【補正方法】変更
【補正の内容】
【０００１】
【発明の属する技術分野】
本発明は、２次電池、または、１次電池を電源とする電池駆動される電子機器における上記電池の残留容量の管理に関する。
【手続補正４】
【補正対象書類名】明細書
【補正対象項目名】０００７
【補正方法】変更
【補正の内容】
【０００７】
本発明は、上述の事情に鑑みてなされたものであって、電池残留容量検出のために電流消費を伴うことなく、実用上十分な精度で、２次電池、または、１次電池の残留容量を推定することが可能な電池駆動される電子機器を提供することを目的とする。
【手続補正５】
【補正対象書類名】明細書
【補正対象項目名】０００８
【補正方法】変更
【補正の内容】
【０００８】
【課題を解決するための手段】
本発明の請求項１記載の電池駆動される電子機器は、情報を表示する表示手段と、内部回路に電源を供給する２次電池と、上記２次電池の規格容量値と環境変数に応じた放電特性データと動作シーケンス毎の代表的消費電流データとを含む情報を不揮発記憶する第１記憶手段と、カレンダー時計機能を備え、作動時間を計時する計時手段と、上記２次電池の累積充電回数、ならびに、充電完了日を起算とする使用状況に応じた電池残留容量を記憶する書き換え可能な第２記憶手段と、少なくとも内部の温度を測定する環境変数測定手段と、上記第１、第２記憶手段の内容、および、上記環境変数測定手段の出力に基づいて上記２次電池の残留容量を推定し、この残留容量推定値に関する情報を表示手段に表示させる制御手段とを具備しており、上記制御手段により推定された残留容量推定値に関する情報が上記表示手段に表示され、使用者は、表示された上記残留容量推定値に関する情報によって、装填されている電池で何駒撮影できるか、充電の必要があるか等の情報を得ることができる。
【手続補正６】
【補正対象書類名】明細書
【補正対象項目名】０００９
【補正方法】変更
【補正の内容】
【０００９】
本発明の請求項２記載の電池駆動される電子機器は、請求項１記載の電池駆動される電子機器において、上記電池駆動される電子機器は電子カメラであって、上記残留容量に関する情報は、撮影動作可能回数、および、画像記録媒体の使用可能駒数である。
【手続補正７】
【補正対象書類名】明細書
【補正対象項目名】００１０
【補正方法】変更
【補正の内容】
【００１０】
本発明の請求項３記載の電池駆動される電子機器は、請求項１記載の電池駆動される電子機器において、上記電池駆動される電子機器は電子カメラであって、上記残留容量に関する情報は、撮影動作可能回数および画像記録媒体の使用可能駒数のいずれか少ない方である。
【手続補正８】
【補正対象書類名】明細書
【補正対象項目名】００１１
【補正方法】変更
【補正の内容】
【００１１】
本発明の請求項４記載の電池駆動される電子機器は、請求項１記載の電池駆動される電子機器において、上記２次電池の残留容量推定値は、上記電子機器の起動に応答して所定時間表示される。
【手続補正９】
【補正対象書類名】明細書
【補正対象項目名】００１２
【補正方法】変更
【補正の内容】
【００１２】
本発明の請求項５記載の電池駆動される電子機器は、請求項１記載の電池駆動される電子機器において、上記２次電池の残留容量推定値は、所定操作部材の操作に応答して所定時間表示される。
【手続補正１０】
【補正対象書類名】明細書
【補正対象項目名】００１３
【補正方法】変更
【補正の内容】
【００１３】
本発明の請求項６記載の電池駆動される電子機器は、請求項１記載の電池駆動される電子機器において、さらに、上記２次電池を挿抜するために開閉可能な電池蓋と、この電池蓋の開閉を検知する検知手段と、を備え、上記制御手段は、上記検知手段の出力に応答して上記第２記憶手段を初期化すると共に、その旨を上記表示手段に表示させる。
【手続補正１１】
【補正対象書類名】明細書
【補正対象項目名】００１４
【補正方法】変更
【補正の内容】
【００１４】
本発明の請求項７記載の電池駆動される電子機器は、請求項６記載の電池駆動される電子機器において、上記第２記憶手段は、上記初期化された後に２次電池の充電が完了すると再び活性化される。
【手続補正１２】
【補正対象書類名】明細書
【補正対象項目名】００１５
【補正方法】変更
【補正の内容】
【００１５】
本発明の請求項８記載の電池駆動される電子機器は、情報を表示する表示手段と、内部回路に電源を供給する１次電池と、上記１次電池の規格容量値と環境変数に応じた放電特性データと動作シーケンス毎の代表的消費電流データとを含む情報を不揮発記憶する第１記憶手段と、カレンダー時計機能を備え、作動時間を計時する計時手段と、上記１次電池の使用開始日を起算とする使用状況に応じた電池残留容量を記憶する書き換え可能な第２記憶手段と、少なくとも内部の温度を測定する環境変数測定手段と、上記第１、第２記憶手段の内容、および、上記環境変数測定手段の出力に基いて上記１次電池の残留容量を推定し、この残留容量推定値に関する情報を上記表示手段に表示させる制御手段とを具備しており、上記制御手段により推定された残留容量推定値に関する情報が上記表示手段に表示され、使用者は、表示された上記残留容量推定値に関する情報によって、装填されている電池で何駒撮影できるか、電池交換の必要があるか等の情報を得ることができる。
【手続補正１３】
【補正対象書類名】明細書
【補正対象項目名】００１６
【補正方法】変更
【補正の内容】
【００１６】
本発明の請求項９記載の電池駆動される電子機器は、請求項８記載の電池駆動される電子機器において、上記電池駆動される電子機器は電子カメラであって、上記残留容量に関する情報は、撮影動作可能回数、および、画像記録媒体の記録可能駒数である。
【手続補正１４】
【補正対象書類名】明細書
【補正対象項目名】００１７
【補正方法】変更
【補正の内容】
【００１７】
本発明の請求項１０記載の電池駆動される電子機器は、請求項８記載の電池駆動される電子機器において、上記電池駆動される電子機器は電子カメラであって、上記残留容量に関する情報は、撮影動作可能回数、および、画像記録媒体の記録可能駒数のいずれか少ない方である。
【手続補正１５】
【補正対象書類名】明細書
【補正対象項目名】００１８
【補正方法】変更
【補正の内容】
【００１８】
本発明の請求項１１記載の電池駆動される電子機器は、請求項８記載の電池駆動される電子機器において、上記１次電池の残留容量推定値は、上記電子機器の起動に応答して所定時間表示される。
【手続補正１６】
【補正対象書類名】明細書
【補正対象項目名】００１９
【補正方法】変更
【補正の内容】
【００１９】
本発明の請求項１２記載の電池駆動される電子機器は、請求項８記載の電池駆動される電子機器において、上記１次電池の残留容量推定値は、所定操作部材の操作に応答して所定時間表示される。
【手続補正１７】
【補正対象書類名】明細書
【補正対象項目名】００２０
【補正方法】変更
【補正の内容】
【００２０】
本発明の請求項１３記載の電池駆動される電子機器は、請求項８記載の電池駆動される電子機器において、さらに、上記１次電池を挿抜するために開閉可能な電池蓋と、この電池蓋の開閉を検知する検知手段と、を備えており、上記制御手段は、上記検知手段の出力に応答して上記第２記憶手段を初期化すると共に、上記１次電池が挿抜されたことを上記表示手段に表示させる。
【手続補正１８】
【補正対象書類名】明細書
【補正対象項目名】００７８
【補正方法】変更
【補正の内容】
【００７８】
【発明の効果】
本発明によると、１次電池、または、２次電池の残留容量を検出するために、従来のカメラの場合のような検出のための電池消費を伴わない状態で実用上十分な精度で上記電池の残留容量を推定し、表示することが可能であり、上記電池が保有する電力を十分に利用できる電池駆動される電子機器を提供できる。